(57)【要約】【課題】英数字、ひらがな、特殊記号等の記号データ入力に使用する記号入力装置において、記号データの入力を容易に行うことができるようにする。【解決手段】英数字、ひらがな、特殊記号等の記号データに対応した入力信号を情報端末装置に入力する記号入力装置２であって、２つの筐体７，８と、これら２つの筐体７，８を互いに回転自在に連結する連結部６と、これら２つの筐体７，８の相対的な回転角度に対応した前記入力信号を出力する信号出力部とを備えることを特徴とする記号入力装置２を提供する。【選択図】　　　図２
2004094651.tif 000002
【特許請求の範囲】
【請求項１】
英数字、ひらがな、特殊記号等の記号データに対応した入力信号を情報端末装置に入力する記号入力装置であって、
２つの筐体と、これら２つの筐体を互いに回転自在に連結する連結部と、これら２つの筐体の相対的な回転角度に対応した前記入力信号を出力する信号出力部とを備えることを特徴とする記号入力装置。
【請求項２】
前記２つの筐体の相対的な回転角度に対応する前記記号データを表示する記号表示部が、少なくとも一方の筐体に設けられていることを特徴とする請求項１に記載の記号入力装置。
【請求項３】
前記２つの各筐体に、これらの回転軸線回りに前記記号表示部が形成される周面が形成され、
前記記号表示部が、一方の筐体の周面に印字された複数の前記記号データと、他方の筐体の周面に印字され、２つの筐体の相対的な回転角度に応じて各記号データを指示する指示記号とからなることを特徴とする請求項２に記載の記号入力装置。
【請求項４】
前記記号データが点字にて表示され、前記指示記号が凸状に形成されていることを特徴とする請求項３に記載の記号入力装置。
【請求項５】
２つの筐体が、それぞれ半球形状をなし、前記連結部により回転自在に連結された状態において、球体形状をなすことを特徴とする請求項１から請求項４のいずれかに記載の記号入力装置。
【請求項６】
請求項１から請求項５のいずれかに記載の記号入力装置と、英数字、ひらがな、特殊記号等の記号データを前記記号入力装置からの入力信号に対応づけて記憶する記号データメモリ部と、
前記記号データを表示する表示部と、
該入力信号に対応した前記記号データを前記記号データメモリ部から読み出す制御部とを備えることを特徴とする情報端末装置。
【請求項７】
前記記号データを音声により表現する音声データを入力信号に対応づけて記憶する音声データメモリ部と、前記音声データを前記制御部の指示に基づいて出力するスピーカとを備えることを特徴とする請求項６に記載の情報端末装置。
【発明の詳細な説明】
【０００１】
【発明の属する技術分野】
この発明は、英数字、ひらがな、特殊記号等の記号データ入力に使用する記号入力装置およびこれを備えた情報端末装置に関する。
【０００２】
【従来の技術】
パーソナルコンピュータ等の情報端末装置に使用される記号入力装置としては、従来、複数の押下可能なキーを配列した所謂キーボードがある。このキーボードの各キーには、それぞれ英数字、ひらがな、特殊記号等の記号データが割り当てられている。情報端末装置の使用者は、その手指にてキーボードの各キーを押下することにより、情報端末装置の表示部に、各キーに該当した記号が表示されることになる。
【０００３】
【発明が解決しようとする課題】
しかしながら、上記の記号入力装置においては、各キーに、それぞれ英数字、ひらがな、特殊記号等の記号データが割り当てられるため、使用者は、各キーの配置位置と記号データとの対応関係を記憶しておく必要があり、使い慣れるまでに時間がかかるという問題があった。また、この記号入力装置は、キーを指先で押下する構成であるため、指先の太さの制限により小型化には限界があるという問題があった。
この発明は、上述した事情に鑑みてなされたものであって、記号データの入力を容易に行うことができる記号入力装置を提供することを目的としている。
【０００４】
【課題を解決するための手段】
上記課題を解決するために、この発明は以下の手段を提案している。
請求項１に係る発明は、英数字、ひらがな、特殊記号等の記号データに対応した入力信号を情報端末装置に入力する記号入力装置であって、２つの筐体と、これら２つの筐体を互いに回転自在に連結する連結部と、これら２つの筐体の相対的な回転角度に対応した前記入力信号を出力する信号出力部とを備えることを特徴とする記号入力装置を提案している。
この発明に係る記号入力装置によれば、記号データを選択する際には、２つの筐体を相対的に回転させて、所望の記号データに対応した２つの筐体の相対的な回転角度を選択する。そして、記号データに対応する入力信号が信号出力部から出力されることになる。
【０００５】
また、請求項２に係る発明は、請求項１に記載の記号入力装置において、前記２つの筐体の相対的な回転角度に対応する前記記号データを表示する記号表示部が、少なくとも一方の筐体に設けられていることを特徴とする記号入力装置を提案している。
この発明に係る記号入力装置によれば、２つの筐体の相対的な回転角度に対応する記号データを記号表示部において確認できるため、２つの筐体を相対的に回転させて記号データを選択する際に、記号データの選択を容易に行うことができる。
【０００６】
また、請求項３に係る発明は、請求項２に記載の記号入力装置において、前記２つの各筐体に、これらの回転軸線回りに前記記号表示部が形成される周面が形成され、前記記号表示部が、一方の筐体の周面に印字された複数の前記記号データと、他方の筐体の周面に印字され、２つの筐体の相対的な回転角度に応じて各記号データを指示する指示記号とからなることを特徴とする記号入力装置を提案している。
この発明に係る記号入力装置によれば、２つの筐体の相対的な回転角度に応じて指示記号が周面に印字された各記号データを指し示すため、この回転角度に対応する各記号データを容易に確認することができる。
【０００７】
また、請求項４に係る発明は、請求項３に記載の記号入力装置において、前記記号表示部に表示される前記記号データが点字にて表示され、前記指示記号が凸状に形成されていることを特徴とする記号入力装置を提案している。
この発明に係る記号入力装置によれば、視覚障害者が、筐体の表面に形成された記号データおよび指示記号に触れることにより、指示記号により指し示された記号データを確認できるため、容易に記号データの入力ができる。
【０００８】
また、請求項５に係る発明は、請求項１から請求項４のいずれかに記載の記号入力装置において、２つの筐体が、それぞれ半球形状をなし、前記連結部により回転自在に連結された状態において、球体形状をなすことを特徴とする記号入力装置を提案している。
この発明に係る記号入力装置によれば、２つの筐体を連結した状態で球体形状となる構成であるため、手で把持できる程度に記号入力装置の小型化を図ることができる。
【０００９】
また、請求項６に係る発明は、請求項１から請求項５のいずれかに記載の記号入力装置と、英数字、ひらがな、特殊記号等の記号データを前記記号入力装置からの入力信号に対応づけて記憶する記号データメモリ部と、前記記号データを表示する表示部と、該入力信号に対応した前記記号データを前記記号データメモリ部から読み出す制御部とを備えることを特徴とする情報端末装置を提案している。
この発明に係る情報端末装置によれば、記号データを入力する場合には、記号入力装置を操作して、所望の記号データに対応する２つの筐体の相対的な回転角度を選択する。この際には、記号データに対応する入力信号が信号出力部から制御部に入力され、制御部により入力信号に対応した記号データが記号データメモリ部から読み出される。
【００１０】
また、請求項７に係る発明は、請求項６に記載の情報端末装置において、前記記号データを音声により表現する音声データを入力信号に対応づけて記憶する音声データメモリ部と、前記音声データを前記制御部の指示に基づいて出力するスピーカとを備えることを特徴とする情報端末装置を提案している。
この発明に係る記号入力装置によれば、２つの筐体の相対的な回転角度を選択することにより記号データを選択し、記号データの入力を行う際には、この記号データに対応した音声データがスピーカから出力されることになる。このため、表示部を視認することなく、音声データを聞くことにより入力した記号データを確認できる。
【００１１】
【発明の実施の形態】
図１から図５はこの発明に係る一実施形態を示しており、この実施の形態に係る情報端末装置１は、図１に示すように、記号入力装置２と、端末装置本体３と、表示部４と、スピーカ５とを備えており、端末装置本体３は、ケーブル等により記号入力装置２、表示部４、およびスピーカ５と電気的に接続されている。
この情報端末装置１は、記号入力装置２から英数字、ひらがな、特殊記号等の記号データに対応した入力信号を端末装置本体３に入力して、記号データを表示部４に表示させると共に、スピーカ５において記号データを音声にて出力するものである。
【００１２】
記号入力装置２は、球体形状に形成されており、図２に示すように、回転型の可変抵抗器（連結部）６と、２つの筐体７，８とを備えている。
可変抵抗器６は、筒状に形成された筒状体９と、この筒状体９に対して軸線Ｌ回りに回転自在に取り付けられた軸体１０とを備えており、軸体１０が筒状体９に対して相対的に軸線Ｌ回りに回転することにより、可変抵抗器６の抵抗値が変化するようになっている。
【００１３】
筐体７，８は、各々半球状に形成されており、この円形状に形成された円形面７ａ，８ａの中心には、それぞれ穴７ｂ，８ｂが形成されている。それぞれの穴７ｂ，８ｂは、筒状体９および軸体１０が嵌合可能な大きさとなっている。
これら筒状体９および軸体１０を穴７ｂ，８ｂにそれぞれ嵌合させると共に、円形面７ａ，８ａを相互に当接させることにより、２つの筐体７，８が互いに連結されると共に、筐体８および軸体１０が、筐体７および筒状体９に対して相対的に軸線Ｌ回りに回転可能となる。
【００１４】
２つの筐体７，８の球状面７ｃ，８ｃのうち、軸線Ｌ回りの周面には、図１に示すように、記号表示部２１が設けられている。この記号表示部２１は、球状面７ｃ，８ｃの周面に沿って印字され、英数字、ひらがな、特殊記号等の複数の記号データからなる文字列２２〜２５と、文字列２２〜２５を指し示すゲージ（指示記号）２６，２７とから構成されている。さらに、視覚障害者のためには、点字の凸部を備えるとよい。筐体７に印字された文字列２２，２３は、筐体８に形成されたゲージ２７により指し示され、筐体８に印字された文字列２４，２５は、筐体７に形成されたゲージ２６により指し示される。
【００１５】
これらゲージ２６，２７が指し示す各記号データは、２つの筐体７，８の相対的な回転角度、すなわち、筒状体９と軸体１０との相対的な回転角度に対応している。なお、この回転角度の基準位置、すなわち、回転角度を０°とする筐体７，８の相対的な位置は、ゲージ２７が文字列２２の「あ」を指し示す位置であり、「い」「う」「え」「お」と順次指し示す方向に筐体７，８を相対的に回転させることにより、回転角度が増加することになる。
【００１６】
また、２つの筐体７，８の球状面７ｃ，８ｃには、押圧可能な文字種切換ボタン部５１およびゲージ選択ボタン５２が設けられている。文字種切換ボタン部５１は、３つのスイッチＳ１〜Ｓ３を備えており、各スイッチＳ１〜Ｓ３は、筐体７の球状面７ｃから出没自在となっている。すなわち、各スイッチＳ１〜Ｓ３は、球状面７ｃから突出した状態で一度押圧することにより押下状態となり、もう一度押圧することにより、突出状態に戻るようになっている。
なお、これらスイッチＳ１〜Ｓ３のいずれか一つが押下状態となっているときに、その他のスイッチを押下状態にすることはできない。したがって、例えばスイッチＳ１が押下状態となっている状態で、スイッチＳ２を押圧すると、スイッチＳ１は突出状態に戻ることになる。
また、ゲージ選択ボタン５２は、筐体８の球状面８ｃから出没自在となっており、球状面８ｃから突出した状態で一度押圧されると押下状態となる。また、ゲージ選択ボタン５２は、押下状態で再度押圧されると突出状態に戻るようになっている。
【００１７】
これら文字種切換ボタン５１のスイッチＳ１，Ｓ２とゲージ選択ボタン５２とを組み合わせることにより、［表１］に示すように、各文字列２２〜２５のいずれかひとつが選択されることになる。
【００１８】
【表１】
2004094651.tif 000003
【００１９】
すなわち、例えば、スイッチＳ１が押下状態にある場合には、各筐体７，８に印字された文字列２２，２４のいずれか一方が選択され、スイッチＳ２が押下状態にある場合には、各筐体７，８に印字された文字列２３，２５のいずれか一方が選択されることになる。
また、例えば、ゲージ選択ボタン５２が突出状態にある場合には、文字列２４，２５の記号データを指示するゲージ２６が選択され、ゲージ選択ボタン５２が押下状態にある場合には、文字列２２，２３の記号データを指示するゲージ２７が選択されることになる。
なお、スイッチＳ３が押下状態にある場合には、表示部４において記号データの入力位置を示すカーソルを移動するカーソル移動モードになり、このカーソルは、筐体７，８を相互に回転させることにより移動するようになっている。
【００２０】
また、この球状面７ｃ，８ｃには、ゲージ２６，２７に指し示された記号データの入力を実行する確定キー５３と、表示部４に表示された記号データを消去するための取消キー５４とが設けられている。
【００２１】
また、この記号入力装置２には、図２に示すように、筐体７，８が相互に一定の角度で回転する毎に、筐体７，８の相対位置を固定できる位置固定機構１００が設けられている。この位置固定機構１００は、筐体８の円形面８ａの周縁部分全周にわたって形成された複数の穴８ｄと、筐体７の円形面７ａの周縁部分から突出すると共に、穴８ｄに係合する係止部材３１とを備えている。
係止部材３１は、図３に示すように、円形面７ａに形成された開口部７ｄ内に配設されている。この係止部材３１は、開口部７ｄの側壁部７ｅにより、円形面７ａに直交する方向（ＡＢ方向）にのみ移動が規制されており、コイルばね３２によって円形面７ａから外方に突出する方向（Ａ方向）に付勢されている。
【００２２】
各々の穴８ｄは、一定の間隔を隔てて形成されており、その間隔は、球状面７ｃ，８ｃに配された各文字列２２〜２５の記号データの間隔と等しい。すなわち、係止部材３１が穴８ｄに係合した状態では、ゲージ２６，２７が各文字列２２〜２５のいずれかの記号データを指し示す状態となる。このように係止部材３１が穴８ｄに係合した状態では、筐体７，８の相対位置が固定されることになる。この係止部材３１が穴８ｄに係合した状態から、筐体７，８を相互に回転させると、図４に示すように、係合部材３１は、穴８ｄから相対的に移動して、円形面８ａによりＢ方向に押圧され、開口部７ｄ内に押し込まれる状態となる。この状態においては、筐体７，８の相対位置が固定されない。
【００２３】
この記号入力装置２の内部においては、図５に示すように、可変抵抗器６の固定端子４１，４２間に電源４５から所定の電圧を印加し、固定端子４２と摺動端子４３との間に可変抵抗器６の回転角度に応じた電圧降下分（電圧値Ｅ）を得るものであり、これを出力信号としてＡ／Ｄコンバータ４４に入力するようになっている。
【００２４】
この電圧値Ｅは、ゲージ２６，２７が指示する文字列２２〜２５の各記号データに対して、相異なる電圧値Ｅが対応している。すなわち、この電圧値Ｅは、筐体７，８の相対的な回転角度が０°の状態では０［Ｖ］となり、回転角度の増加と共に、漸次増加するようになっている。Ａ／Ｄコンバータ（信号出力部）４４は、この電圧値Ｅをデジタル信号（入力信号）に変換して端末装置本体３に入力するようになっている。
【００２５】
端末装置本体３は、記号データメモリ部６１と、音声データメモリ部６２と、制御部６３とを備えている。記号データメモリ部６１には、英数字、ひらがな、特殊記号等の多数の記号データが予め記憶されている。
これら多数の記号データは、［表１］に示すように、文字種切換ボタン５１のスイッチＳ１，Ｓ２とゲージ選択ボタン５２との組み合わせに対応づけて文字列２２〜２５に分類された状態で、かつ、Ａ／Ｄコンバータ４４から出力されるデジタル信号に対応づけた状態で記憶されている。
すなわち、例えば、文字種切換ボタン５１のスイッチＳ１、およびゲージ選択ボタン５２を押下した状態で選択される文字列２２の個々の記号データは、［表２］に示すように、デジタル信号の電圧値Ｅに対応している。なお、［表２］におけるデジタル信号の電圧値Ｅは、電源４５の印加電圧Ｅ０［Ｖ］を基準とした値となっている。
【００２６】
【表２】
2004094651.tif 000004
【００２７】
音声データメモリ部６２には、記号データメモリ部６１に記憶された各記号データを音声にて表現する音声データ、および表示部４に表示された記号データが取消キー５４の操作により消去された際の音声データが予め記憶されている。なお、記号データを音声にて表現する音声データは、記号データメモリ部６１に記憶された記号データと同様に整理された状態で記憶されている。
【００２８】
これら記号データメモリ部６１および音声データメモリ部６２に記録されている記号データおよび音声データは、球状面７ｃ，８ｃに印字された記号データに対応している。すなわち、例えば、球状面７ｃに印字された記号データ「あ」をゲージ２６が指し示す状態では、記号データメモリ部６１および音声データメモリ部６２に記憶された記号データおよび音声データ「あ」に対応したデジタル信号が制御部６３に入力されることになる。
【００２９】
制御部６３は、確定キー５３が押圧された際に、文字種切換ボタン５１のスイッチＳ１，Ｓ２、およびゲージ選択ボタン５２の押下状態と、Ａ／Ｄコンバータ４４のデジタル信号とに対応した記号データおよび音声データを記号データメモリ部６１および音声データメモリ部６２から読み出して、記号データを表示部４に表示させると共に、音声データをスピーカ５に出力するようになっている。
また、この制御部６３は、取消キーが押圧された際に、記号データを表示部４から消去させると共に、消去されたことを示す音声データをスピーカ５に出力するようになっている。
【００３０】
また、制御部６３は、文字種切換ボタン５１のスイッチＳ１，Ｓ２およびゲージ選択ボタン５２の押下状態に応じて、記号データメモリ部６１および音声データメモリ部６２に記憶された各文字列２２〜２５のいずれかひとつを選択するようになっている。
なお、文字種切換ボタン５１のスイッチＳ３が押下状態となっている場合には、制御部６３がカーソル移動モードであることを認識する。そして、この状態でカーソルを移動させて記号データにあわせた際には、制御部６３の指示に基づいて各記号データに対応した音声データが、音声データメモリ部６２から読み出され、スピーカ５から出力されるようになっている。
【００３１】
次に、上述した情報端末装置１において、記号データの入力を行う方法について説明する。
例えば、「あＡ５」という記号データを入力する場合には、はじめに、文字種切換ボタン５１のスイッチＳ１およびゲージ選択ボタン５２を押圧して押下状態とし、ゲージ２７が文字列２２を指し示す状態とする。また、２つの筐体７，８を相互に回転させてゲージ２７が文字列２２の「あ」という記号データを指し示す状態とし、この状態で確定キー５３を押圧する。
【００３２】
この際には、制御部６３の指示に基づいて、制御部６３に入力されたデジタル信号に対応した記号データ「あ」が、記号データメモリ部６１から読み出されると共に、記号データ「あ」に対応した音声データが音声データメモリ部６２から読み出される。そして、制御部の指示に基づいて、表示部４に「あ」という記号データが表示されると共に、スピーカ５から「あ」という音声データが出力される。
【００３３】
次いで、文字種切換ボタン５１のスイッチＳ２を押下状態とすると共に、ゲージ２７が文字列２３の「Ａ」を指し示す状態とし、この状態で確定キー５３を押圧する。この際には、表示部に「Ａ」が表示されると共に、スピーカ５から「Ａ」という音声データが出力される。
最後に、ゲージ選択ボタン５２を突出状態とし、文字種切換ボタン５１のスイッチＳ１を押下状態とすると共に、ゲージ２６が文字列２４の「５」を指し示す状態とし、この状態で確定キー５３を押圧する。この際には、表示部に「５」が表示されると共に、スピーカ５から「５」という音声データが出力される。
以上のようにして、「あＡ５」という記号データが表示部４に表示されることになり、記号データ「あＡ５」の入力が完了する。
【００３４】
なお、上記のように記号データを入力する際には、記号データの入力位置を示すカーソル「＿」が、各記号データを入力する毎に「あ＿」、「あＡ＿」、「あＡ５＿」と、順次入力される記号データの最後の部分に移動する。
【００３５】
また、例えば、表示部４において「あＡ５＿」と表示されている状態から、「Ａ」を表示部４から消去する場合には、はじめに、文字種切換ボタン５１のスイッチＳ３を押圧して押下状態とし、カーソル移動モードとする。そして、筐体７，８を相互に回転させることにより表示部４に表示されたカーソル「＿」を移動させ、カーソルを記号データ「Ａ」の位置にあわせる。この際には、記号データ「Ａ」に対応する音声データがスピーカから出力される。
そして、この状態で、取消キー５４を押圧すると、記号データ「Ａ」が消去され、消去したことを示す音声データがスピーカ５から出力される。
【００３６】
上記の情報端末装置１によれば、記号入力装置２は、２つの筐体７，８の相対的な回転角度を選択することにより所望の記号データを選択する構成となっているため、記号データの入力を容易に行うことができる。
また、筐体７，８に、これらの相対的な回転角度に対応する記号データを表示する記号表示部２１が設けられているため、２つの筐体７，８の相対的な回転角度に対応する記号データを記号表示部２１において確認することができ、記号データの選択を容易に行うことができる。
さらに、記号表示部２１は、ゲージ２６，２７が文字列２２〜２５の記号データを指し示す構成となっているため、２つの筐体７，８の相対的な回転角度に対応する記号データの選択をさらに容易に行うことができる。
【００３７】
また、半球状に形成された２つの筐体７，８を連結した状態で球体形状となる構成となっているため、手で把持できる程度に記号入力装置２の小型化を図ることができる。
さらに、記号データを入力する際には、記号データに対応した音声データがスピーカ５から出力されるため、表示部４を視認することなく、音声データを聞くことにより入力した記号データを確認できると共に、視線を記号入力装置２から移動させることなく、容易に記号データの入力を行うことができる。
【００３８】
なお、上記の実施の形態においては、電源４５は、記号入力装置２に設けられるとしたが、これに限ることはなく、記号入力装置２と端末装置本体３とがケーブル等により電気的に接続されている場合には、端末装置本体３に設置されるとしてもよい。
また、記号入力装置２と記号入力装置３とがケーブル等で電気的に接続されるとしたが、無線であってもよい。
さらに、文字種切換ボタン５１、ゲージ選択ボタン５２、確定キー５３、取消キー５４を２つの筐体７，８に設けるとしたが、これに限ることはなく、例えば、別の筐体に設け、この筐体を端末装置本体３にケーブル等で接続するとしてもよい。
【００３９】
また、文字列２２〜２５およびゲージ２６，２７は、球状面７ｃ，８ｃに印字されるとしたが、これに限ることはなく、例えば、文字列２２〜２５を構成する記号データを点字により表示し、ゲージ２６，２７を凸状に形成してもよい。この場合には、視覚障害者が、ゲージ２６，２７により指し示された記号データを確認することができるため、容易に記号データの入力を行うことができる。
以上、本発明の実施形態について図面を参照して詳述したが、具体的な構成はこの実施形態に限られるものではなく、本発明の要旨を逸脱しない範囲の設計変更等も含まれる。
【００４０】
【発明の効果】
以上説明したように、請求項１および請求項６に係る発明によれば、２つの筐体の相対的な回転角度を選択することにより所望の記号データを選択する構成となっているため、記号データの入力を容易に行うことができる。
【００４１】
また、請求項２に係る発明によれば、２つの筐体の相対的な回転角度に対応する前記記号データを表示する記号表示部が、筐体に設けられているため、記号データの選択を容易に行うことができる。
【００４２】
また、請求項３に係る発明によれば、一方の筐体の周面に記号データが印字され、他方の筐体の周面に回転角度に応じて各記号データを指示する指示記号が印字されているため、２つの筐体の相対的な回転角度に対応する各記号データを容易に確認することができる。
【００４３】
また、請求項４に係る発明によれば、記号表示部に表示される記号データが点字にて表示され、指示記号が凸状に形成されているため、視覚障害者が、指示記号により指し示された記号データを確認して、容易に記号データの入力を行うことが可能となる。
【００４４】
また、請求項５に係る発明によれば、２つの筐体を連結した状態で球体形状となる構成であるため、手で把持できる程度に記号入力装置の小型化を図ることができる。
【００４５】
また、請求項７に係る発明によれば、記号データに対応した音声データを記憶する音声データメモリ部と、制御部の指示により音声データを出力するスピーカとが設けられているため、表示部を視認することなく、音声データを聞くことにより入力した記号データを確認できる。
【図面の簡単な説明】
【図１】この発明の一実施形態に係る情報端末装置の記号入力装置を示す概略平面図である。
【図２】図１の記号入力装置において、２つの筐体を分離した状態を示す斜視図である。
【図３】図１の記号入力装置において、位置固定機構を示す断面図である。
【図４】図１の記号入力装置において、位置固定機構を示す断面図である。
【図５】図１の情報端末装置の概略図である。
【符号の説明】
１・・・情報端末装置、２・・・記号入力装置、４・・・表示部、５・・・スピーカ、６・・・可変抵抗器（連結部）、７，８・・・筐体、２１・・・記号表示部、２２・・・ゲージ（指示記号）、４４・・・Ａ／Ｄコンバータ（信号出力部）、６１・・・記号データメモリ部、６２・・・音声データメモリ部、６３・・・制御部
【図１】
2004094651.tif 000005
【図２】
2004094651.tif 000006
【図３】
2004094651.tif 000007
【図４】
2004094651.tif 000008
【図５】
2004094651.tif 000009